(57)【特許請求の範囲】
【請求項１】
住宅建物の基礎型枠にコンクリートを打設し、この基礎型枠を、養生シートで被覆してコンクリートを養生させる基礎コンクリートの養生方法であって、引っ張って破り取ることができる使い捨てにした養生シートを使用し、基礎コンクリートの養生硬化後、養生シートをめくり上げて基礎型枠の脱型作業を行ない、この基礎型枠の脱型後、再度養生シートを被覆し、この養生シートを被覆した状態のまま、養生硬化された基礎コンクリートへの建物本体の施工を行って住宅建物を完成させ、不要時に養生シートを引っ張って破り捨てることができるようにしたことを特徴とする基礎コンクリートの養生方法。
【請求項２】
基礎がデザイン基礎となされた請求項１記載の基礎コンクリートの養生方法。
【請求項３】
養生シートに住宅建物の商品名または会社名を印刷した請求項１または２記載の基礎コンクリートの養生方法。
【発明の詳細な説明】
【０００１】
【発明の属する技術分野】
本発明は、デザイン基礎または冬季や寒冷地などの基礎で有効な基礎コンクリートの養生方法に関するものである。
【０００２】
【従来の技術】
一般に、基礎の外周面に模様を施したデザイン基礎というものが知られている。
【０００３】
従来より、このデザイン基礎を施工する場合は、デザイン基礎に、ガードパネルを取り付けることで、このデザイン基礎に施した模様が汚れたり傷ついたりしないようにしていた。
【０００４】
【発明が解決しようとする課題】
しかし、ガードパネルを取り付ける場合、あらかじめデザイン基礎の天端面に、ガードパネルの取付金具を埋め込んでおくといった手間がかかることとなる。また、ガードパネルの場合、取付作業、取外し作業、再利用するための洗浄作業などの手間がかかり人件費が嵩むこととなる。さらに、ガードパネルの場合、基礎上に軸組などを施工して行く前には、取り外さなければならず、デザイン基礎自体を養生硬化させるまでの間しか、デザイン基礎に施した模様を保護することができない。
【０００５】
本発明は、係る実情に鑑みてなされたものであって、低コストで作業性に優れ、住宅建物をお客様に引き渡すまで基礎の汚れを保護することができる基礎コンクリートの養生方法を提供することを目的としている。
【０００６】
【課題を解決するための手段】
上記課題を解決するための本発明の基礎コンクリートの養生方法は、住宅建物の基礎型枠にコンクリートを打設し、この基礎型枠を、養生シートで被覆してコンクリートを養生させる基礎コンクリートの養生方法であって、引っ張って破り取ることができる使い捨てにした養生シートを使用し、基礎コンクリートの養生硬化後、養生シートをめくり上げて基礎型枠の脱型作業を行ない、この基礎型枠の脱型後、再度養生シートを被覆し、この養生シートを被覆した状態のまま、養生硬化された基礎コンクリートへの建物本体の施工を行って住宅建物を完成させ、不要時に養生シートを引っ張って破り捨てることができるようにしたものである。
【０００７】
また、基礎がデザイン基礎となされたものである。
【０００８】
さらに、養生シートに住宅建物の商品名または会社名を印刷したものである。
【０００９】
【発明の実施の形態】
以下、本発明の実施の形態を図面を参照して説明する。
【００１０】
図１は基礎コンクリート１の養生方法の各工程の要部を示し、図２は同養生方法における工程途中における全体の概略を示している。
【００１１】
すなわち、この基礎コンクリート１の養生方法は、基礎コンクリート１に養生シート２を被覆した状態のまま、基礎コンクリート１への建物本体３の施工を行って住宅建物４を完成させるものである。
【００１２】
基礎コンクリート１は、基礎型枠５に生コンクリート１０を打設して養生硬化させた後、基礎型枠５を脱型して形成される。この基礎コンクリート１は、基礎型枠５の脱型面の一部にデザインが施され、脱型した状態で基礎コンクリート１の外周面にデザインが施されるようになされた、いわゆるデザイン基礎であっても良い。
【００１３】
養生シート２は、図１に示すように、基礎コンクリート１の外周部分から天端面を経て内周部分にわたって被覆することができる幅で、長尺に形成されている。この養生シート２は、ポリエチレンなどの樹脂材料によって透明または半透明に形成された使い捨てタイプの低コストのシート材で、その表面には、住宅建物４の商品名または会社名などが印刷されていても良い。
【００１４】
この養生シート２は、基礎型枠５に生コンクリート１０を打設した後、この基礎型枠５全体に被覆される。この際、養生シート２は、図１（ａ）に示すように、基礎型枠５の天端面から突出したアンカーボルト６が突き刺さるようにして被覆され、養生シート２の幅方向の両側に土砂７を載せることによって固定される。
【００１５】
生コンクリート１０の養生硬化後は、図１（ｂ）に示すように、養生シート２をめくり上げて基礎型枠５の脱型作業を行い、脱型後は、基礎コンクリート１の周縁に盛土８をして整地作業を行う。
【００１６】
整地作業後は、図１（ｃ）に示すように、基礎コンクリート１の天端面の均しを行った後、再度、養生シート２を被覆し、この養生シート２によって基礎コンクリート１を被覆保護した状態としておく。
【００１７】
そして、図１（ｄ）に示すように、この基礎コンクリート１上に建物本体３を建設して行く。
【００１８】
建物本体３の施工が完了し、住宅建物４をお客さまに引き渡す段階で、養生シート２は、図１（ｅ）に示すように、住宅建物４の外側から引っ張って破り取る。
【００１９】
この基礎コンクリート１の養生方法によると、養生シート２によって基礎コンクリート１の養生硬化を効率良く行うことができるとともに、基礎コンクリート１が傷ついたり、汚れたりするのを防止することができ、品質の向上を図ることができる。また、養生シート２に住宅建物４の商品名または会社名などを印刷しておくことで、基礎工事の段階から、住宅建物４の商品名や会社名をアピールすることができる。
【００２０】
また、養生シート２を基礎コンクリート１に被覆した状態のまま、基礎コンクリート１の上に建物本体３を建設するため、基礎コンクリート１は、完成後の住宅建物４をお客さまに引き渡す直前まで、養生シート２によって保護しておくことができる。
【００２１】
さらに、養生シート２は、住宅建物４の外側から引っ張ることによって簡単に破り取ることができる。
【００２２】
なお、本実施の形態では、養生シート２は、基礎コンクリート１の全体を被覆するように構成されているが、この養生シート２の場合、住宅建物４の外側から養生シート２を引っ張って破り取る際に、住宅建物４の外側の部分だけが破り取られ、基礎コンクリート１の内側部分を被覆する養生シート２が残ったままになってしまうことが懸念される。したがって、この養生シート２としては、図３（ａ）に示すように、基礎コンクリート１の天端面から外周部分にかけてだけ被覆するようになされた養生シート２ａであっても良い。また、図３（ｂ）に示すように、基礎コンクリート１の天端面から外周部分にかけて被覆するようになされた養生シート２ａと、天端面から内周部分にかけて被覆するようになされた養生シート２ｂとによって基礎コンクリート１の全体を被覆し、建物本体３の施工前に、基礎コンクリート１の天端面から内周部分にかけて被覆するようになされた養生シート２ｂを取り外すようにしても良い。
【００２３】
また、本実施の形態では、養生シート２は、生コンクリート１０の打設後に、基礎型枠５に被覆しているため、被覆後は、脱型時、整地時、天端面をモルタルで均す際など、何度も養生シート２をめくり上げるもしくは一旦取り除かなければならない。したがって、完成された基礎コンクリート１を保護するだけの目的で養生シート２を被覆するのであれば、養生シート２を被覆するタイミングとしては、これらの脱型、整地、天端面の均しが終わってからであっても良い。
【００２４】
さらに、本実施の形態では、養生シート２は、透明または半透明としているため、養生シート２内にゴミや工具類などが隠されてしまうといったことが防止され、足元の視認性も良くなるが、特に透明または半透明のものに限定されるものではない。また、養生シート２の材質としても、樹脂材料からなるものに限定されるものではなく、樹脂コーティングされた紙製のものや、布製のものであっても良い。特に、寒冷地において、本発明の基礎コンクリート１の養生方法を実施する場合、養生効果に優れた養生シート２を使用しても良い。このような養生シートとしては、吸水吸湿しないポリプロピレン、ポリエチレン、ポリエステルなどの不織布または発泡体などからなるシート材（例えば、３Ｍ社製  シンサレート）などを使用することができる。
【００２５】
【発明の効果】
以上述べたように、本発明によると、養生シートを被覆した状態のまま、基礎コンクリートへの建物本体の施工を行って住宅建物を完成させるので、養生シートによる基礎コンクリートの養生硬化を有効に行うことができるとともに、住宅建物をお客様に引き渡す直前まで基礎の汚れやキズを防止して品質に優れた商品を提供することができる。
【００２６】
また、養生シートを、不要時に引っ張って破り取ることができる使い捨てにすることで、作業効率の向上を図ることができる。また、着脱に手間がかからず作業の低コスト化を図ることができる。
【００２７】
特に、デザイン基礎のように、外周面に模様があるため汚れたり、傷つき易いような基礎の場合、有効となる。
さらに、養生シートに住宅建物の商品名または会社名を印刷しておくことで、基礎工事の段階から、住宅建物の商品名や会社名をアピールすることができる。
【図面の簡単な説明】
【図１】（ａ）ないし（ｅ）は、本発明に係る基礎コンクリートの養生方法の各工程の要部を示す概略図である。
【図２】（ａ）および（ｂ）は本発明に係る基礎コンクリートの養生方法における工程途中の状態であって、（ａ）は基礎コンクリートを養生シートで被覆した状態を示す正面図、（ｂ）は同養生シートを被覆した基礎コンクリート上に建物本体を建設して住宅建物を完成させた状態を示す正面図である。
【図３】（ａ）および（ｂ）は、養生シートの他の実施の形態を示す断面図である。
【符号の説明】
１  基礎コンクリート
１０  生コンクリート
２  養生シート
３  建物本体
４  住宅建物
５  基礎型枠
【図１】
0003694175.tif 000002
【図２】
0003694175.tif 000003
【図３】
0003694175.tif 000004